【事件の表示】
　特願２０１８−５２４３２９号「インプリント装置」拒絶査定不服審判事件〔平成２９年５月２６日国際公開、ＷＯ２０１７／０８４７９７号、平成３０年１１月２２日国内公表、特表２０１８−５３４６２３号〕について、次のとおり審決する。
【結　論】
　本件審判の請求は、成り立たない。
【理　由】
１．手続の経緯
　本願は、２０１６年（平成２８年）９月３０日（パリ条約による優先権主張　外国庁受理　２０１５年（平成２７年）１１月２０日　欧州特許庁、２０１６年（平成２８年）２月２４日　欧州特許庁）を国際出願日とする出願であって、その手続の経緯は以下のとおりである。
平成３０年　５月３１日　　：翻訳文提出
平成３０年　５月３１日　　：上申書、手続補正書提出
平成３０年　９月２７日付け：拒絶理由通知書
平成３１年　３月２０日　　：意見書、手続補正書の提出
平成３１年　４月　２日付け：拒絶査定（謄本送達日　同年５月７日）
　令和元年　９月　５日　　：審判請求書、手続補正書の提出
　令和２年　４月２８日付け：拒絶理由通知書
　令和２年　７月３１日　　：意見書、手続補正書の提出
２．本願発明
　本願の請求項に係る発明は、令和２年７月３１日になされた手続補正（以下「本件補正」という。）によって補正された特許請求の範囲の請求項１ないし１０に記載された事項により特定されるものと認められるところ、その請求項１に係る発明（以下「本願発明」という。）は、以下のとおりである（なお、本件補正において、請求項１は補正されていない。）
「【請求項１】
　インプリントシステム（２７１）と、
　第１の基板（Ｗ１）を保持するように構成された第１の基板ステージ（ＷＴ１）と、
　第２の基板（Ｗ２）を保持するように構成された第２の基板ステージ（ＷＴ２）と、
　クリーニングデバイスを支持するように構成された較正ステージ（ＣＳ）と、を備え、
　前記インプリントシステム（２７１）は、
　　前記第１の基板（Ｗ１）の少なくとも一部に樹脂（２７１１）を供給するように構成された樹脂供給ユニット（２７１３）と、
　　パターニングデバイス（２７６）を保持するように構成されたインプリントヘッド（２７７）と、を有し、
　前記パターニングデバイス（２７６）は、前記第１の基板（Ｗ１）上の前記樹脂にパターンを形成するように構成され、
　前記インプリントシステム（２７１）は、紫外光（２７１０）を提供して前記樹脂（２７１１）を硬化させるように構成され、
　前記第１の基板ステージ、前記第２の基板ステージ、及び前記較正ステージの各々は、
互いに独立して移動するように構成され、
　前記クリーニングデバイスは、前記インプリントヘッド（２７７）、前記パターニングデバイス（２７６）及び前記樹脂供給ユニット（２７１３）のうち少なくとも一つを洗浄するように構成される、
インプリント装置。」
　上記本願発明を分説すると下記のとおりとなる。
「【請求項１】
Ａ　インプリントシステム（２７１）と、
Ｂ　第１の基板（Ｗ１）を保持するように構成された第１の基板ステージ（ＷＴ１）と、
Ｃ　第２の基板（Ｗ２）を保持するように構成された第２の基板ステージ（ＷＴ２）と、
Ｄ　クリーニングデバイスを支持するように構成された較正ステージ（ＣＳ）と、を備え、
Ａ　前記インプリントシステム（２７１）は、
Ｅ　　前記第１の基板（Ｗ１）の少なくとも一部に樹脂（２７１１）を供給するように構成された樹脂供給ユニット（２７１３）と、
Ｆ　　パターニングデバイス（２７６）を保持するように構成されたインプリントヘッド（２７７）と、を有し、
Ｇ　前記パターニングデバイス（２７６）は、前記第１の基板（Ｗ１）上の前記樹脂にパターンを形成するように構成され、
Ｈ　前記インプリントシステム（２７１）は、紫外光（２７１０）を提供して前記樹脂（２７１１）を硬化させるように構成され、
Ｉ　前記第１の基板ステージ、前記第２の基板ステージ、及び前記較正ステージの各々は、互いに独立して移動するように構成され、
Ｊ　前記クリーニングデバイスは、前記インプリントヘッド（２７７）、前記パターニングデバイス（２７６）及び前記樹脂供給ユニット（２７１３）のうち少なくとも一つを洗浄するように構成される、
Ｋ　インプリント装置。」
３．拒絶の理由
　令和２年４月２８日付けで当審が通知した拒絶理由（以下「当審拒絶理由」という。）のうちの本願発明に対する理由２は、次のとおりのものである。
　本願発明は、本願の最先の優先日前に日本国内又は外国において、頒布された又は電気通信回線を通じて公衆に利用可能となった以下の引用文献１に記載された発明及び引用文献２、３に記載された事項に基づいて、その最先の優先日前にその発明の属する技術の分野における通常の知識を有する者が容易に発明をすることができたものであるから、特許法２９条２項の規定により特許を受けることができない。
引用文献１：特開２０１１−１５５１６０号公報
引用文献２：特開２００７−１９４６０１号公報
引用文献３：特開２０１４−６０３８５号公報
４．引用文献の記載及び引用発明
（１）引用文献１及び引用発明
ア　本願の最先の優先日前に頒布された刊行物である引用文献１には、下記各記載がある（下線は当審が付した。以下同じ。）。
（ア）「【技術分野】
【０００１】
　本発明は、光処理装置および光処理方法に関し、更に詳しくは
ナノインプリント装置
【背景技術】・・・
【０００３】
　このようなパターン形成方法においては、テンプレートの表面に異物などが存在すると、得られるパターンに欠陥が生じるため、テンプレートの表面を洗浄処理することが必要である。・・・また、硬化樹脂層からテンプレートを剥す際に、当該テンプレートに光硬化性樹脂等の残さが付着する場合には、パターン形成が終了する毎に、テンプレートの洗浄処理を行うことが必要であり、
洗浄処理に相当に長い時間を要するため、生産性が著しく低下する、という問題がある
　
（イ）「【００１６】
　図６は、本発明の光処理装置を搭載したナノインプリント装置の一例における構成の概略を示す説明図である。この図において、
１はテンプレート、２は、テンプレート１を保持するテンプレート保持機構、
４は可動式のウエハステージであって、このウエハステージ４上には、ウエハＷを保持するウエハチャック４ａが配置されている。５は、ウエハＷの表面にパターン形成用材料（インプリント材料）である液状の光硬化性樹脂を塗布するインクジェット方式の塗布手段、
９は、ウエハＷ上に形成された光硬化性樹脂よりなるパターン形成用材料層に紫外線を照射する紫外線光源である。
光処理装置３０は、当該光処理装置３０をテンプレート１の下方に搬送する搬送アーム３５に固定されてい
【００１７】
　このようなナノインプリント装置においては、ウエハチャック４ａにウエハＷが保持されたウエハステージ４を塗布手段５の下方位置に移動させ、当該塗布手段５によってウエハＷの表面に液状の光硬化性樹脂を塗布することにより、ウエハＷ上に光硬化性樹脂よりなるパターン形成用材料層を形成する。次いで、
ウエハステージ４をテンプレート１の下方位置に移動させ、　ウエハＷ上に形成されたパターン形成用材料層に対して、加圧機構６によってテンプレート１を接触させて加圧し、この状態で、パターン形成用材料層に紫外線光源９によってテンプレート１を介して紫外線を照射することにより、パターン形成用材料層を硬化させ、その後、得られた硬化樹脂層からテンプレート１を剥がすことにより、ウエハＷに対するパターン形成が達成される
　このような
ウエハＷに対するパターン形成が
終了すると、
ウエハＷが載置されたウエハステージ４が、テンプレート１の下方位置からその側方位置に移動されて退避されると共に、光処理装置３０がテンプレート１の下方位置に搬送され、その紫外線透過窓１１
がテンプレート１のパターン面に間隙を介して対向するよう配置され
　ここで、紫外線透過窓１１の外面とテンプレート１のパターン面との間の離間距離は、例えば０．３〜１０．０ｍｍである。
【００１８】
　そして、
光処理装置３０
冷却用ガス供給機構を作動させ、これにより、冷却用ガスを冷却用ガス流通管１７を介してガス流路部材１５に供給することによって、
ガス流路部材１５に形成されたガス流通口１６から排出された冷却用ガスＧ１が紫外線透過窓１１とテンプレート１との間の間隙に流通され
この状態で、エキシマランプ２０を点灯させることにより、エキシマランプ２０からの紫外線が紫外線透過窓１１を介してテンプレート１のパターン面に照射され、以て、テンプレート１の光洗浄処理が達成され
　
その後、光処理装置３０が搬送されてテンプレート１の下方位置から退避される
【００１９】
　以上において、
紫外線透過窓１１とテンプレート１との間の間隙に流通される冷却用ガス
　
（ウ）図１、６及び７は次のとおりである。
　
（エ）上記（ア）及び（イ）の記載を踏まえて、上記（ウ）の図１、６及び７を見ると、ウエハステージ４と光処理装置３０は互いに独立して移動するように構成されているものであることが見て取れる。
　
イ　上記アによれば、引用文献１には下記の各事項が記載されていると認められる。
（ア）ナノインプリント装置（【０００１】）は、ナノインプリントシステムを備えているといえる。
　
（イ）ナノインプリント装置の「ウエハステージ４」は、「ウエハステージ４上には、ウエハＷを保持するウエハチャック４ａが配置されている」（【００１６】）から、ナノインプリント装置は、「ウエハＷを保持するウエハチャック４ａが配置されている」「ウエハステージ４」を備えているといえる。
　
（ウ）ナノインプリント装置の「光処理装置３０」（【図１】）は、「冷却用ガス供給機構を作動させ、これにより、冷却用ガスを冷却用ガス流通管１７を介してガス流路部材１５に供給することによって、」「ガス流路部材１５に形成されたガス流通口１６から排出された冷却用ガスＧ１が紫外線透過窓１１とテンプレート１との間の間隙に流通され」、「この状態で、エキシマランプ２０を点灯させることにより、エキシマランプ２０からの紫外線が紫外線透過窓１１を介してテンプレート１のパターン面に照射され、以て、テンプレート１の光洗浄処理が達成」（【００１８】）するものであって、「この光処理装置３０は、当該光処理装置３０をテンプレート１の下方に搬送する搬送アーム３５に固定されてい」（【００１６】）て、「ウエハＷに対するパターン形成が」「終了すると、ウエハＷが載置されたウエハステージ４が、テンプレート１の下方位置からその側方位置に移動されて退避されると共に、光処理装置３０がテンプレート１の下方位置に搬送され、その紫外線透過窓１１」「がテンプレート１のパターン面に間隙を介して対向するよう配置され」（【００１７】）、「テンプレート１の光洗浄処理が達成され」た「後、光処理装置３０が搬送されてテンプレート１の下方位置から退避される」（【００１８】）ものであって、「紫外線透過窓１１とテンプレート１との間の間隙に」「冷却用ガス」が「流通される」（【００１９】）ものであるから、「ナノインプリント装置」は、「テンプレート１の下方に搬送する搬送アーム３５に固定されてい」て、「ウエハＷに対するパターン形成が」「終了すると、ウエハＷが載置されたウエハステージ４が、テンプレート１の下方位置からその側方位置に移動されて退避されると共に、」「テンプレート１の下方位置に搬送され、その紫外線透過窓１１」「がテンプレート１のパターン面に間隙を介して対向するよう配置され」、「テンプレート１の光洗浄処理が達成され」た「後、搬送されてテンプレート１の下方位置から退避される」ものであって、「紫外線透過窓１１とテンプレート１との間の間隙に」「冷却用ガス」を「流通」して「テンプレート１の」「光洗浄処理」を行う「光処理装置３０」を備えているといえる。
　
（エ）ナノインプリント装置の「塗布手段５」は、「ウエハＷの表面にパターン形成用材料（インプリント材料）である液状の光硬化性樹脂を塗布するインクジェット方式の塗布手段」（【００１６】）であるから、ナノインプリント装置のナノインプリントシステムは、「ウエハＷの表面に」「液状の光硬化性樹脂を塗布するインクジェット方式の塗布手段」を有するといえる。
　
（オ）ナノインプリント装置の「テンプレート保持機構２」は、「テンプレート１を保持するテンプレート保持機構」（【００１６】）であるから、ナノインプリント装置のナノインプリントシステムは、「テンプレート１を保持するテンプレート保持機構」を有するといえる。
　
（カ）ナノインプリント装置は、「ウエハステージ４をテンプレート１の下方位置に移動させ、ウエハＷ上に形成されたパターン形成用材料層に対して、加圧機構６によってテンプレート１を接触させて加圧し、この状態で、パターン形成用材料層に紫外線光源９によってテンプレート１を介して紫外線を照射することにより、パターン形成用材料層を硬化させ、その後、得られた硬化樹脂層からテンプレート１を剥がすことにより、ウエハＷに対するパターン形成が達成される」（【００１７】）ものであるから、ナノインプリント装置のテンプレート１は、「パターン形成用材料層に」「パターン」を形成するように構成されているとともに、ナノインプリント装置のナノインプリントシステムは、「紫外線を照射することにより、パターン形成用材料層を硬化させ」るように構成されているといえる。
　
ウ　上記ア及びイによれば、引用文献１には下記の発明（以下「引用発明」という。）が記載されていると認められる（ａないしｋは、構成ＡないしＫに対応させて当審が付した。）。
「ａ　ナノインプリントシステムと（上記「イ」「（ア）」）、
ｂ　ウエハを保持するウエハチャックが配置されているウエハステージと（上記「イ」「（イ）」）、
ｄ　テンプレートの光洗浄処理を行う光処理装置を備え（上記「イ」「（ウ）」）、
ａ　前記ナノインプリントシステムは（上記「イ」「（ア）」）、
ｅ　ウエハの表面に液状の光硬化性樹脂を塗布するインクジェット方式の塗布手段と（上記「イ」「（エ）」）、
ｆ　テンプレートを保持するテンプレート保持機構を有し（上記「イ」「（オ）」）、
ｇ　前記テンプレート、パターン形成用材料層にパターンを形成するように構成され（上記「イ」「（カ）」）、
ｈ　前記ナノインプリントシステムは、紫外線を照射することにより、パターン形成用材料層を硬化させるように構成され（上記「イ」「（カ）」）、
ｉ　ウエハステージと光処理装置は互いに独立して移動するように構成され（上記「ア」「（エ）」）、
ｊ　前記光処理装置は、前記テンプレートの下方に搬送する搬送アームに固定されていて、ウエハに対するパターン形成が終了すると、ウエハが載置されたウエハステージが、テンプレートの下方位置からその側方位置に移動されて退避されると共に、テンプレートの下方位置に搬送され、その紫外線透過窓がテンプレートのパターン面に間隙を介して対向するよう配置され、テンプレートの光洗浄処理が達成された後、搬送されてテンプレートの下方位置から退避されるものであって、ガス流通口から排出された冷却ガスが紫外線透過窓とテンプレートとの間の間隙に冷却用ガスを流通してテンプレートの光洗浄処理を行うように構成される（上記「イ」「（ウ）」）、
ｋ　ナノインプリント装置（【０００１】）。」
　
（２）引用文献２及び引用文献２に記載された事項
ア　本願の最先の優先日前に頒布された刊行物である引用文献２には、下記各記載がある。
（ア）「【技術分野】
【０００１】
[0001]　本発明は
インプリントリソグラフィ
（イ）「【００３９】
[0046]　図４は、
基板テーブル１０１によって支持された基板１００
【００４１】
[0048]　非濡れ性材料１０４のグリッドは、非濡れ性材料の分子を平坦化層１０２の頂部にグラフトさせることによって設けることができる（分子は、例えば（過）フッ素処理したアクリレートでよい）。これは、例えば基板１００を密封されたチャンバに入れ、ＵＶ放射を使用して基板上の良好に画定された位置を照明して、これに非濡れ性分子を取り付けることによって達成することができる。例えば、ＵＶ放射のスポットは、記憶され、目標領域１０８の正確な位置を反映するパターンを使用して、基板１００の表面上で誘導することができる。その結果、非濡れ性材料１０４を、１００ｎｍ、５０ｎｍ、または１０ｎｍより良好な精度で位置決めすることができる。場合によっては、
デュアルステージまたはマルチステージシステムを使用すること
　
イ　上記アによれば、引用文献２には下記の事項（以下「引用文献２に記載された事項」という。）が記載されていると認められる。
「インプリントリソグラフィにおける基板を支持する基板テーブルに、デュアルステージまたはマルチステージシステムを使用すること。」
　
（３）引用文献３及び引用文献３に記載された事項
ア　本願の最先の優先日前に頒布された刊行物である引用文献３には、下記各記載がある。
（ア）「【０００１】
　本発明は、
インプリント装置
（イ）「【００１７】
　
ウエハステージ（基板保持部）４は、
被処理基板としてのウエハ（第１基板）Ｗ１を保持する第１ステージＳＴ１と、後述するモールドＭの洗浄工程において、洗浄用ウエハ（第２基板）Ｗ２を保持する第２ステージＳＴ２とを含む
　
イ　上記アによれば、引用文献３には下記の事項（以下「引用文献３に記載された事項」という。）が記載されていると認められる。
「インプリント装置における基板を保持するステージを、ウエハ（第１基板）Ｗ１を保持する移動可能である第１ステージＳＴ１と、洗浄用ウエハ（第２基板）Ｗ２を保持する移動可能である第２ステージＳＴ２とで構成すること。」
　
５．対比・判断
（１）対比
　本願発明との対比
ア　引用発明の「ナノインプリントシステム」（構成ａ）及び「ナノインプリント装置」（ｋ）は、本願発明の「インプリントシステム」（構成Ａ）及び「インプリント装置」（構成Ｋ）にそれぞれ相当する。
　
イ　引用発明の「ウエハを保持するウエハチャックが配置されているウエハステージ」（構成ｂ）は、本願発明の「第１の基板を保持するように構成された第１の基板ステージ」（構成Ｂ）に相当する。
　
ウ　引用発明の「テンプレートの光洗浄処理を行う光処理装置を備え」（構成ｄ）ることは、本願発明の「クリーニングデバイスを支持するように構成された較正ステージと、を備え」（構成Ｄ）ることと、「クリーニングデバイスを支持するように構成された装置と、を備え」（構成Ｄ´）ることの点で一致する。
　
エ　引用発明の「ウエハの表面に液状の光硬化性樹脂を塗布するインクジェット方式の塗布手段」（構成ｅ）は、本願発明の「第１の基板の少なくとも一部に樹脂を供給するように構成された樹脂供給ユニット」（構成Ｅ）に相当する。
　
オ　引用発明の「テンプレートを保持するテンプレート保持機構を有」（構成ｆ）することは、本願発明の「パターニングデバイスを保持するように構成されたインプリントヘッドと、を有」（構成Ｆ）することに相当する。
　
カ　引用発明の「テンプレート、パターン形成用材料層にパターンを形成するように構成され」（構成ｇ）ることは、本願発明の「パターニングデバイス）は、前記第１の基板上の前記樹脂にパターンを形成するように構成され」（構成Ｇ）ることに相当する。
　
キ　引用発明の「ナノインプリントシステムは、紫外線を照射することにより、パターン形成用材料層を硬化させるように構成され」（構成ｈ）ることは、本願発明の「インプリントシステムは、紫外光を提供して前記樹脂を硬化させるように構成され」（構成Ｈ）ることに相当する。
　
ク　引用発明の「ウエハステージと光処理装置は互いに独立して移動するように構成され」（構成ｉ）ることは、本願発明の「前記第１の基板ステージ、前記第２の基板ステージ、及び前記較正ステージの各々は、互いに独立して移動するように構成され」（構成Ｉ）ることと、「前記第１の基板ステージ及び前記クリーニングデバイスを支持するように構成された装置の各々は、互いに独立して移動するように構成され」（構成Ｉ´）ることの点で一致する。
　
ケ　引用発明の「光処理装置は、前記テンプレートの下方に搬送する搬送アームに固定されていて、ウエハに対するパターン形成が終了すると、ウエハが載置されたウエハステージが、テンプレートの下方位置からその側方位置に移動されて退避されると共に、テンプレートの下方位置に搬送され、その紫外線透過窓がテンプレートのパターン面に間隙を介して対向するよう配置され、テンプレートの光洗浄処理が達成された後、搬送されてテンプレートの下方位置から退避されるものであって、紫外線透過窓とテンプレートとの間の間隙に冷却用ガスを流通してテンプレートの光洗浄処理を行うように構成される」（構成ｊ）ことは、本願発明の「クリーニングデバイスは、前記インプリントヘッド、前記パターニングデバイス及び前記樹脂供給ユニットのうち少なくとも一つを洗浄するように構成される」（構成Ｊ）ことと、「クリーニングデバイスは、前記パターニングデバイスを洗浄するように構成される」（構成Ｊ´）ことの点で一致する。
　
コ　以上アないしケによれば、引用発明と本願発明は、
「Ａ　インプリントシステムと、
Ｂ　第１の基板を保持するように構成された第１の基板ステージと、
Ｄ´　クリーニングデバイスを支持するように構成された装置と、を備え、
Ａ　前記インプリントシステムは、
Ｅ　　前記第１の基板の少なくとも一部に樹脂を供給するように構成された樹脂供給ユニットと、
Ｆ　　パターニングデバイスを保持するように構成されたインプリントヘッドと、を有し、
Ｇ　前記パターニングデバイスは、前記第１の基板上の前記樹脂にパターンを形成するように構成され、
Ｈ　前記インプリントシステムは、紫外光を提供して前記樹脂を硬化させるように構成され、
Ｉ´　前記第１の基板ステージ及び前記クリーニングデバイスを支持するように構成された装置の各々は、互いに独立して移動するように構成され、
Ｊ´　前記クリーニングデバイスは、前記パターニングデバイスを洗浄するように構成される、
Ｋ　インプリント装置。」
である点で一致し、下記各点で相違する。
　
（相違点１）
　本願発明１は、「第２の基板を保持するように構成された第２の基板ステージ」を備え、第２の基板ステージが独立して移動するように構成されると特定されるのに対して、引用発明は、このように特定されない点。
　
（相違点２）
　クリーニングデバイスを支持するように構成された装置が、本願発明１は、「較正ステージ」であるのに対して、引用発明は「光処理装置」である点。
　
（２）判断
ア　相違点１について
　引用発明の「ウエハを保持するウエハチャックが配置されているウエハステージ」は１つ（「第１のウエハを保持するウエハチャックが配置されている第１のウエハステージ」）であるが、引用文献１には、【背景技術】として「洗浄処理に相当に長い時間を要するため、生産性が著しく低下する、という問題がある」（上記「４．」「（１）」「ア」「（ア）」【０００３】）ことが記載され、引用発明は、生産性を向上させる発明であることが示唆されている。
　ここで、生産性を向上させるために、１つのものを２つとすることは周知の課題解決手法であるところ、「ウエハを保持するウエハチャックが配置されているウエハステージ」を２つ備えるものとなすとともに、互いに独立して移動する構成とすることは、上記引用文献２に記載された事項に見られるとおり従来周知のことであるから、引用発明の「ウエハを保持するウエハチャックが配置されているウエハステージ」を２つ備えるもの（「第１のウエハを保持するウエハチャックが配置されている第１のウエハステージ」及び「第２のウエハを保持するウエハチャックが配置されている第２のウエハステージ」）となすとともに第１のウエハステージ等に対して互いに独立して移動する構成となし、上記相違点１に係る本願発明の構成となすことは、当業者が容易になし得たことにすぎない。
　
イ　相違点２について
　引用発明の「光処理装置３０」は、「テンプレートの下方に搬送する搬送アームに固定されていて、ウエハに対するパターン形成が終了すると、ウエハが載置されたウエハステージが、テンプレートの下方位置からその側方位置に移動されて退避されると共に、テンプレートの下方位置に搬送され、その紫外線透過窓がテンプレートのパターン面に間隙を介して対向するよう配置され、テンプレートの光洗浄処理が達成された後、搬送されてテンプレートの下方位置から退避されるものであ」（構成ｊ）るところ、引用文献３には、「洗浄用ウエハ（第２基板）Ｗ２」を「移動可能である第２ステージＳＴ２」に保持することが記載されているから（引用文献３に記載された事項）、当該洗浄処理を行う手段を移動・搬送する手段としての搬送アームに固定することに代えてステージに保持（固定）する構成を採用することは当業者が容易に想到し得たことであって、引用発明の「光処理装置」をステージに保持（固定）し、上記相違点２に係る本願発明の構成となすことは、当業者が容易になし得たことにすぎない。
　
ウ　したがって、本願発明は、引用発明及び引用文献２、３に記載された事項に基づいて当業者であれば容易に発明することができたものであるから、特許法第２９条第２項の規定により特許を受けることができない。
（３）請求人の主張
ア　請求人は、令和２年７月３１日提出の意見書の「【意見の内容】」「４．進歩性について」において、概略、
「しかしながら、審判長殿の上記認定は、相違点に係る構成が周知技術であるというだけで本願発明が容易に想到し得るという結論を導いており、引用文献１に記載された発明に引用文献２に記載された周知技術を適用して上記相違点に係る構成に到達することが容易であるか否かという立証命題についての検証を省くものです。
　この点につき、引用文献１には、『ウエハを保持するウエハチャックが配置されているウエハステージ』を２つ設けることについて記載も示唆もされていません。
　むしろ、『ウエハを保持するウエハチャックが配置されているウエハステージ』を２つ設けることは装置に要求される面積や重量の増大化をもたらすものであり、当業者は引用発明に引用文献２等に記載された周知技術（デュアルステージとすること）を適用することを避けようとするはずです。」
と主張する。
　
イ　しかしながら、引用文献１には、引用発明は、生産性を向上させる発明であることが示唆されているとともに、生産性を向上させるために、基板ステージを２つとすることは周知の課題解決手法であり、引用文献２に記載された事項に基づいて、引用発明において、「ウエハを保持するウエハチャックが配置されているウエハステージ」を２つ備えるものとなすとともに、互いに独立して移動する構成とすることは容易に想到し得たことであることは、上記「（２）」「ア」で検討したとおりである。
　ここで、インプリント装置の技術分野において、「小型軽量化」と「生産性の向上」とがトレードオフの関係にあることは技術常識である。すなわち、引用発明において、「ウエハを保持するウエハチャックが配置されているウエハステージ」を２つ備えると、装置に要求される面積や重量の増大化をもたらすものの、生産性は向上するし、小型軽量化を優先して、「ウエハを保持するウエハチャックが配置されているウエハステージ」を１つ備えるものとすれば、相対的に生産性は低下することとなる。そうすると、「小型軽量化」と「生産性の向上」のどちらを優先するかは、当業者が適宜選択可能な事項であると認められるところ、上記「（２）」「ア」で検討したとおり、引用文献１には、引用発明は生産性を向上させる発明であることが示唆されている。
　したがって、引用発明において、「ウエハを保持するウエハチャックが配置されているウエハステージ」を２つ備えるものとなすことに阻害要因はない。
　
ウ　よって、以上イで検討したとおり、上記アの請求人の主張は採用できない。
　
６．むすび
　以上のとおり、本願発明は、その最先の優先日前に日本国内又は外国において、頒布された又は電気通信回線を通じて公衆に利用可能となった引用文献１に記載された発明及び引用文献２、３に記載された事項に基づいて、その最先の優先日前にその発明の属する技術の分野における通常の知識を有する者が容易に発明をすることができたものであるから、特許法２９条２項の規定により特許を受けることができない。
　したがって、他の請求項に係る発明について検討するまでもなく、本願は拒絶されるべきものである。
　よって、結論のとおり審決する。